(57)【要約】【課題】他の特性に影響なく倍率の微調整を可能にする画像読み取り装置を提供する。【解決手段】レンズブラケット１０３と、レンズブラケット１０３に固定されるレンズ７との距離が調整可能なＣＣＤブラケット１０４と、レンズ７と原稿面との距離を変える方向に位置調整可能な状態でレンズブラケット１０３が取り付けられたステー１０２とを有するレンズブロック１０１を備えた画像読み取り装置において、レンズブラケット１０３の傾きを規制する規制部材１０７を設けた。【選択図】        図２
2004357066.tif 000002
【特許請求の範囲】
【請求項１】
レンズブラケットと、レンズブラケットに固定されるレンズとの距離が調整可能なＣＣＤブラケットと、レンズと原稿面との距離を変える方向に位置調整可能な状態でレンズブラケットが取り付けられたステーとを有するレンズブロックを備えた画像読み取り装置において、レンズブラケットの傾きを規制する規制部材を設けたことを特徴とする画像読み取り装置。
【請求項２】
請求項１記載において、規制部材はレンズブラケットの両側に配置されていることを特徴とする画像読み取り装置。
【請求項３】
請求項１記載において、規制部材はレンズの画角と一致する角度でレンズブラケットの傾きを規制するよう配置されていることを特徴とする画像読み取り装置。
【発明の詳細な説明】
【０００１】
【発明の属する技術分野】
本発明は、レンズブラケットと、レンズブラケットに固定されるレンズとの距離が調整可能なＣＣＤブラケットと、レンズと原稿面との距離を変える方向に位置調整可能な状態でレンズブラケットが取り付けられたステーとを有するレンズブロックを備えた画像読み取り装置に関する。
【０００２】
【従来の技術】
画像読み取り装置において、スキュー調整するために、例えば、特許文献１には、レンズとＣＣＤ基板の相対距離が微調整可能な状態で取り付け可能な受け台と、その受け台が取り付けられる別の受け台を備える構成が示されている。
【特許文献１】特開２００１−１２５２１６公報
【０００３】
【発明が解決しようとする課題】
デジタル複写機のレンズブロックは、生産性向上のため、ユニット単位で治具調整しており、機械１台毎に調整していないため、ある範囲内での倍率誤差を持っている。この倍率誤差は、通常の使用では問題ないレベルであっても、使用目的によっては、より高い精度を要求される場合もある。その場合、レンズ、ＣＣＤと、原稿面の距離を変えることにより微調整可能だが、うまく平行移動させないと他の特性（レジスト、倍率誤差偏差等）に影響する。
本発明は、他の特性に影響なく倍率の微調整を可能にする画像読み取り装置を提供することを目的とする。
【０００４】
【課題を解決するための手段】
上記目的を達成するために、請求項１記載の発明は、レンズブラケットと、レンズブラケットに固定されるレンズとの距離が調整可能なＣＣＤブラケットと、レンズと原稿面との距離を変える方向に位置調整可能な状態でレンズブラケットが取り付けられたステーとを有するレンズブロックを備えた画像読み取り装置において、レンズブラケットの傾きを規制する規制部材を設けた画像読み取り装置を最も主要な特徴とする。
請求項２記載の発明は、請求項１記載において、規制部材はレンズブラケットの両側に配置されている画像読み取り装置を主要な特徴とする。
請求項３記載の発明は、請求項１記載において、規制部材はレンズの画角と一致する角度でレンズブラケットの傾きを規制するよう配置されている画像読み取り装置を主要な特徴とする。
【０００５】
【発明の実施の形態】
以下、本発明の実施の形態を図面に従って説明する。
図１は画像読み取り装置の全体構成図である。
ＡＤＦ（自動原稿送り装置）１により原稿を１枚づつ搬送し、読み取り装置２のコンタクトガラス３の上を通過する間に画像を読み取る。原稿上の画像は、読み取り装置２のミラー４、５、６、レンズ７を通って、ＣＣＤ８に結像する。ＣＣＤ８によって取り込まれた画像データは、画像処理を施された後、プリンタ部へ送られ出力される。
図２は本発明の画像読み取り装置の要部であるレンズブロックの第１の実施例を示す斜視図、図３は同、一部を取り除いた状態の正面図である。
レンズブロック１０１は、ステー１０２、レンズブラケット１０３、ＣＣＤブラケット１０４、レンズ７、レンズ押さえ１０５、ＣＣＤ基板１０６で構成される。レンズ７は、レンズ押さえ１０５によって、レンズブラケット１０３に固定されている。
ＣＣＤブラケット１０４はレンズブラケット１０３のレンズ７との距離を調整できる構造になっている。レンズブラケット１０３は、原稿面からの距離を調整できる構造になっている。本実施例では、ステー１０２の長穴１０２ａと、長穴１０２ａに係合したネジ１０２ｂを利用して、ステー１０２に対するレンズブラケット１０３の位置を調整する。
レンズブロック１０１は、装置本体に搭載される前に、専用の調整治具で調整される。これは生産効率を上げるためである。専用治具による調整は、倍率、ＭＴＦ、レジスト、スキュー等について行う。実機で１台毎の調整でないため、機械毎に多少の誤差があるが、通常の使用では問題ない範囲に収まる。しかし、用途によって特に倍率誤差を小さくしたい場合があり、その場合には機械毎に微調整する必要がある。
倍率調整は、レンズブラケット１０３をステー１０２に対して移動させ、レンズ７と原稿面との距離を変えることにより可能である。この方法によれば、レンズ７とＣＣＤ基板１０６の距離は変化しないので、ＭＴＦにはほとんど影響を与えることなく倍率調整ができる。
【０００６】
本実施例では、ステー１０２の長穴１０２ａを利用して、この微調整を実施することができるが、このときレンズブラケット１０３がステー１０２に対して傾いてしまうと、原稿面との距離が主走査位置で変わるため、倍率誤差偏差が発生する。また、レジスト位置が狂ってしまう。これを防ぐには、ステー１０２に対するレンズブラケット１０３の適正角度を維持した状態で、レンズブラケット１０３を移動させる必要がある。
本実施例では、規制部材１０７によって、レンズブラケット１０３の傾きを防止している。レンズブロック１０１の調整後に、規制部材１０７をレンズブラケット１０３の片側面に突き当てた状態で固定する。
倍率微調整時は、レンズブラケット１０３を規制部材１０７に押し付けながら長穴１０２ａに沿って移動させる。こうすれば、レジスト、倍率誤差偏差に影響を与えず倍率だけを微調整することが可能となる。
なお、長穴をレンズブラケット側に設けても良いことは勿論である。
【０００７】
図４は本発明の画像読み取り装置の要部であるレンズブロックの第２の実施例を示す一部を取り除いた状態の正面図である。この図は図３に対応している。
本実施例では、規制部材１０７がレンズブラケット１０３の両側を規制する構造になっている。両側で規制しているため、倍率微調整時に、レンズブラケット１０３を規制部材１０７に押し付けながら作業する必要がなく作業性が向上する。
図５は本発明の画像読み取り装置の要部であるレンズブロックの第３の実施例を示す平面図である。
本実施例では、レンズブラケット１０３の規制方向がレンズの光軸ではなく、画角と一致している。画像読み取り装置には、主走査方向のレジスト基準が中央基準のものと、片側基準のものがある。ブック原稿セット時は原稿をスケールに突き当ててセットする方が作業性がよいため、片側基準方式を採用している場合も多い。
レンズを光軸方向に沿って移動させた場合、レジスト中央基準の場合は倍率が変化してもレジストはずれないが、レジスト片側基準の場合は、倍率の変化分だけレジストもずれてしまうため、倍率微調整後はレジスト調整も必要となる。
本実施例のように、レンズブラケット１０３の規制方向をレンズ７の光軸ではなく、レジスト基準側の画角と一致させると、レンズブラケット１０３を移動させて倍率を微調整してもレジストがずれることはないため、レジストの再調整は必要なくなる。
【０００８】
【発明の効果】
請求項１記載の発明によれば、倍率微調整時に、レンズブラケットが傾くのを規制部材が防止するため、レジスト、倍率誤差偏差に影響を与えず倍率だけを微調整することが可能となる。
請求項２記載の発明によれば、規制部材がレンズブラケットの両側を規制するため、倍率微調整時の作業性が向上する。
請求項３記載の発明によれば、レンズブラケットの規制方向をレンズの光軸ではなく、レジスト基準側の画角と一致させる方向としているため、レンズブラケットを移動させて倍率を微調整しても、レジストがずれることがなく、レジストの再調整の必要がなくなる。
【図面の簡単な説明】
【図１】画像読み取り装置の全体構成図。
【図２】本発明の画像読み取り装置の要部であるレンズブロックの第１の実施例を示す斜視図。
【図３】本発明の画像読み取り装置の要部であるレンズブロックの第１の実施例の一部を取り除いた状態の正面図。
【図４】本発明の画像読み取り装置の要部であるレンズブロックの第２の実施例の一部を取り除いた状態の正面図。
【図５】本発明の画像読み取り装置の要部であるレンズブロックの第３の実施例を示す平面図。
【符号の説明】
７  レンズ、１０１  レンズブロック、１０２  ステー、１０３  レンズブラケット、１０４  ＣＣＤブラケット、１０７  規制部材
【図１】
2004357066.tif 000003
【図２】
2004357066.tif 000004
【図３】
2004357066.tif 000005
【図４】
2004357066.tif 000006
【図５】
2004357066.tif 000007